(57)【要約】【課題】ユーザが映像信号の選択を容易に行なうことができる映像表示装置を提供する。【解決手段】履歴映像表示モードの実行時には、プロジェクタの表示部の表示領域は、複数のウィンドウに分割される。メインウィンドウ１００には、現在選択されている映像信号に基づく映像が表示される。サブウィンドウ１０２〜１０４には、過去に選択された映像信号に基づく映像である履歴映像が時系列に従って表示される。履歴映像としては、映像信号が動画データであるときには、動画データから生成された静止画のみが表示される。ユーザが入力映像を切替えたい場合には、リモコンまたは操作部を用いて、画面上で所望の履歴映像を選択する操作を行なう。プロジェクタは、履歴映像を選択する操作がなされると、選択された履歴映像に対応する入力端子を選択し、該入力端子からの映像信号による映像をメインウィンドウ１００に表示させる。【選択図】図３
2011102842.tif 000002
【特許請求の範囲】
【請求項１】
映像信号にて表わされる映像を表示する映像表示装置であって、
外部から供給される複数の映像信号を、それぞれ入力するための複数の入力端子と、
前記複数の入力端子のうちから、少なくとも１つの入力端子を選択する選択部と、
前記選択部によって選択された入力端子からの映像信号による映像を表示させる表示部と、
過去に前記選択部によって選択された入力端子からの映像信号による映像を、履歴映像として保持するための履歴映像保持手段と、
前記履歴映像保持手段に保持されている前記履歴映像を、前記表示部に表示させるための履歴映像表示手段とを備える、映像表示装置。
【請求項２】
前記履歴映像表示手段は、複数の表示領域のうちの所定の表示領域に、前記選択部によって現在選択されている入力端子からの映像信号による映像を表示させるとともに、前記複数の表示領域から前記所定の表示領域を除いた残りの表示領域に、前記履歴映像を表示させる、請求項１に記載の映像表示装置。
【請求項３】
前記履歴映像表示手段は、前記履歴映像保持手段に保持されている少なくとも１つの前記履歴映像を、前記表示部における表示順序に従って並べて表示させる、請求項１に記載の映像表示装置。
【請求項４】
前記履歴映像表示手段は、前記履歴映像ごとに、該履歴映像に対応する入力端子に関する情報を重畳させて表示させる、請求項１から３のいずれか１項に記載の映像表示装置。
【請求項５】
前記複数の入力端子のうちから入力端子を選択するための操作を受付ける操作部と、
前記表示部により前記履歴映像を表示した画面から、前記操作部により入力端子を選択する操作がなされると、該選択された入力端子を前記選択部に選択させるための入力切替手段とをさらに備える、請求項１から４のいずれか１項に記載の映像表示装置。
【請求項６】
前記履歴映像表示手段は、過去に前記選択部によって選択された入力端子に映像信号が入力されていなかった場合には、その旨を表す映像を前記表示部に表示させる、請求項１から５のいずれか１項に記載の映像表示装置。
【発明の詳細な説明】
【技術分野】
【０００１】
この発明は、映像表示装置に関し、より特定的には、複数の映像ソースが接続可能な映像表示装置に関する。
【背景技術】
【０００２】
映像表示装置においては、表示したい映像の選択を、メニュー画面を通して行なうことができるように構成されたものがある。たとえば特開２００８−２５２４７９号公報（特許文献１）には、マニュアル再生時に表示されるメニュー画面から、再生コンテンツを選ぶためのメニューである「画像選択」が選択されると、コンテンツ選択画面を液晶モニタに表示させる構成が開示されている。
【先行技術文献】
【特許文献】
【０００３】
【特許文献１】特開２００８−２５２４７９号公報
【発明の概要】
【発明が解決しようとする課題】
【０００４】
ここで、映像表示装置においては、複数の映像ソース（外部映像機器）が接続可能なものがある。特に、近年では、映像ソースの種類の多様化によって、映像ソースから信号を受ける映像表示装置本体における入力端子数は、増加する傾向にある。
【０００５】
このような複数の入力端子を備えた映像表示装置において、画面に表示するべき映像をメニュー画面を通して切替える場合には、メニュー画面の選択項目数が多くなるために、ユーザにとっては、入力切替先を選択するための操作が煩雑となっていた。
【０００６】
また、メニュー画面上で選択した映像信号による映像が投写されたときに初めて、ユーザは、選択した入力端子にどのような映像信号が入力されているかを知ることができるため、どの映像ソースが使用可能であって、どのような表示が行なわれているかについて入力端子ごとに確認しながら入力映像信号を切替える必要が生じてしまい、操作が不便なものとなっていた。
【０００７】
それゆえ、この発明は、かかる課題を解決するためになされたものであり、その目的は、ユーザが映像信号の選択を容易に行なうことができる映像表示装置を提供することである。
【課題を解決するための手段】
【０００８】
この発明のある局面に従う映像表示装置は、映像信号にて表わされる映像を表示する映像表示装置であって、外部から供給される複数の映像信号を、それぞれ入力するための複数の入力端子と、複数の入力端子のうちから、少なくとも１つの入力端子を選択する選択部と、選択部によって選択された入力端子からの映像信号による映像を表示させる表示部と、過去に選択部によって選択された入力端子からの映像信号による映像を、履歴映像として保持するための履歴映像保持手段と、履歴映像保持手段に保持されている履歴映像を、表示部に表示させるための履歴映像表示手段とを備える。
【０００９】
好ましくは、履歴映像表示手段は、複数の表示領域のうちの所定の表示領域に、選択部によって現在選択されている入力端子からの映像信号による映像を表示させるとともに、複数の表示領域から所定の表示領域を除いた残りの表示領域に、履歴映像を表示させる。
【００１０】
好ましくは、履歴映像表示手段は、履歴映像保持手段に保持されている少なくとも１つの履歴映像を、表示部における表示順序に従って並べて表示させる。
【００１１】
好ましくは、履歴映像表示手段は、履歴映像ごとに、該履歴映像に対応する入力端子に関する情報を重畳させて表示させる。
【００１２】
好ましくは、映像表示装置は、複数の入力端子のうちから入力端子を選択するための操作を受付ける操作部と、表示部により履歴映像を表示した画面から、操作部により入力端子を選択する操作がなされると、該選択された入力端子を選択部に選択させるための入力切替手段とをさらに備える。
【００１３】
好ましくは、履歴映像表示手段は、過去に選択部によって選択された入力端子に映像信号が入力されていなかった場合には、その旨を表す映像を表示部に表示させる。
【発明の効果】
【００１４】
この発明によれば、複数の映像ソースが接続可能な映像表示装置において、ユーザは、映像信号の選択を容易に行なうことができる。
【図面の簡単な説明】
【００１５】
【図１】この発明の実施の形態に係る映像表示装置により映像を投影する場合の周辺装置の構成を説明する図である。
【図２】従来の入力映像信号の切替方法を説明する図である。
【図３】本実施の形態に係るプロジェクタによる表示映像の一例を示す図である。
【図４】本発明の実施の形態に係るプロジェクタの構成を説明する図である。
【図５】図４のメモリの構成を説明する図である。
【図６】１画面表示モードおよび履歴映像表示モードの各々におけるプロジェクタの動作を説明する図である。
【図７】本実施の形態に係るプロジェクタによる表示映像の他の例を示す図である。
【図８】１画面表示モードおよび履歴映像表示モードの各々におけるプロジェクタの動作を説明する図である。
【発明を実施するための形態】
【００１６】
以下、本発明の実施の形態について、図面を参照しながら詳細に説明する。なお、図中の同一または相当する部分には同一符号を付してその説明は繰返さない。
【００１７】
図１は、この発明の実施の形態に係る映像表示装置により映像を投影する場合の周辺装置の構成を説明する図である。
【００１８】
図１を参照して、本実施の形態に係る映像表示装置（以下、「プロジェクタ」ともいう）１は、液晶デバイスを利用して映像を投影する液晶プロジェクタであって、スクリーンＳＣに液晶デバイスにより表示される映像の光を投写することにより、映像を投影（表示）する。投写面は、スクリーンＳＣに限定されず、壁面であってもよい。
【００１９】
プロジェクタ１は、ユーザが操作するリモコン（リモートコントローラの略）４から送信される赤外線変調されたリモコン信号を受信する操作受付部６４と、入力部９とを備える。リモコン信号には、プロジェクタ１を遠隔制御するためのコマンド信号が含まれる。
【００２０】
なお、操作受付部６４は、リモコン信号を受信するだけでなく、プロジェクタ１の本体に設けられ、プロジェクタ１を操作するための複数の操作用ボタンを有する操作部（図示せず）からの信号も受け付けることができる。
【００２１】
入力部９は、複数の入力端子を含み、各入力端子からは異なる種類の映像信号が入力可能である。なお、本実施の形態では、一例として、入力部９は、４個の入力端子Ｉｎｐｕｔ１〜Ｉｎｐｕｔ４を含むものと想定する。
【００２２】
入力部９には、デジタル伝送路とアナログ伝送路とが接続される。デジタル伝送路は、ＤＶＩ（Digital Visual Interface）準拠の通信ケーブル３Ａと、ＨＤＭＩ（High Definition Multimedia Interface）準拠の通信ケーブル３Ｂとを含む。
【００２３】
通信ケーブル３Ａは、入力部９の入力端子Ｉｎｐｕｔ１に接続され、外部の映像ソースとプロジェクタ１との間でＤＶＩに従って映像信号を伝送する。ＤＶＩ仕様の映像信号（以下、ＤＶＩ信号ともいう）を供給する装置（映像ソース）としては、ＤＶＤ（Digital Versatile Disc）再生装置、Ｂｌｕ−Ｒａｙディスク再生装置などのデジタル信号を出力する映像ソースがある。
【００２４】
通信ケーブル３Ｂは、入力部９の入力端子Ｉｎｐｕｔ２に接続され、外部の映像ソースとプロジェクタ１との間でＨＤＭＩに従って映像信号を伝送する。ＨＤＭＩ仕様の映像信号（以下、ＨＤＭＩ信号ともいう）を供給する映像ソースとしては、ＤＶＤ再生装置、Ｂｌｕ−Ｒａｙディスク再生装置などのデジタル信号を出力する映像ソースがある。
【００２５】
アナログ伝送路は、複数の有線または無線の伝送路７Ａ，７Ｂを含む。各伝送路は、映像ソースとプロジェクタ１との間で信号を伝送する。映像ソースとしては、ＰＣ（Personal Computer）、ＶＴＲ（Videotape Recorder）などのアナログ信号を出力する映像ソースがある。
【００２６】
入力端子Ｉｎｐｕｔ３は、ＲＧＢ端子であり、ＰＣから供給されるＲＧＢアナログ信号に対応する。入力端子Ｉｎｐｕｔ４は、たとえば、Ｖｉｄｅｏ端子であり、ＶＴＲから供給されるＶｉｄｅｏ信号に対応する。
【００２７】
なお、説明を簡単にするため、各映像ソースから送信される信号は映像信号であると想定する。映像信号とともに音声信号も伝送されるが、説明を簡単にするために、音声信号の伝送およびプロジェクタ１における音声信号処理の説明は略す。
【００２８】
このようなプロジェクタにおいて、ユーザが出力したい映像の入力先を変更したい場合には、リモコン４または操作部から操作受付部６４を介して、入力切替命令が入力される。図２は、従来の入力映像信号の切替方法を説明する図である。
【００２９】
上述した入力切替命令が入力されると、プロジェクタ１の制御部（図示せず）は、ＯＳＤ（On Screen Display）生成部を起動して、入力切替先の選択項目の一覧からなる入力切替メニューを表示する。たとえば、図２の例では、最初に、入力端子を選択するための入力端子切替メニューが表示される。この入力端子切替メニューでは、図２（ａ）に示すような、選択項目（入力端子Ｉｎｐｕｔ１〜Ｉｎｐｕｔ４）が並んでいる。
【００３０】
そして、ユーザがリモコン４を使って、入力端子切替メニューの中から所望の入力端子（たとえば、Ｉｎｐｕｔ１とする。）を選択すると、さらに、制御部は、選択された入力端子Ｉｎｐｕｔ１について、入力映像信号（すなわち、入力先の映像ソース）を選択するための映像信号切替メニューを表示する。たとえば、映像信号切替メニューとしては、図２（ｂ）に示すような、入力端子Ｉｎｐｕｔ１に入力可能な映像信号の一覧からなるメニューが表示される。
【００３１】
ユーザがリモコン４を使って、映像信号切替メニューの中から所望の映像信号（たとえば、ＲＧＢアナログ信号（図中の「ＲＧＢ（ＰＣ  Ａｎａｌｏｇ）」に相当）を選択すると、制御部は、選択された映像信号が、入力端子Ｉｎｐｕｔ１から入力されている場合には、入力端子Ｉｎｐｕｔ１に入力する映像信号（ＲＧＢアナログ信号）により映像を投写する。
【００３２】
これに対して、選択された映像信号が、入力端子Ｉｎｐｕｔ１から入力されていない場合には、制御部は、たとえば、青色ベタの画面に、ユーザが選択した「入力端子名」と、「映像信号が入力されていません」という文字が表示された画面を表す映像信号を生成させ、当該映像を表示させる。
【００３３】
以上のように、従来の入力映像信号の切替方法は、入力切替先を選択するためのメニューを表示させ、該メニュー上で、所望の入力端子をユーザに選択させるものである。したがって、ユーザにとっては、メニュー上で選択した映像信号による映像が投写されたときに初めて、選択した入力端子にどのような映像信号が入力されているかを知ることができる。また、選択した入力端子に映像信号が入力されていないことについても、青色ベタの画面が表示されることによって初めて知ることができる。このように従来の入力映像信号の切替方法では、どの映像ソースが使用可能であって、どのような表示が行なわれているかについて確認しながら、入力映像信号を切替える必要があるため、操作が煩雑で不便であるという問題がある。特に、近年のように、プロジェクタに接続可能な映像ソースの数が多くなると、かかる問題は一層顕著となる。
【００３４】
そこで、このような問題を解決するため、本発明の実施の形態に係る入力映像信号の切替方法では、過去に選択された映像信号に基づく映像を、履歴映像として保持しておき、ユーザからの入力切替命令に応じて該履歴映像を表示させる。
【００３５】
（入力映像信号の切替方法）
以下に、図３から図６を用いて、本発明の実施の形態に係る入力映像信号の切替方法について説明する。
【００３６】
最初に、本実施の形態に係るプロジェクタ１は、映像信号による映像を表示するためのモード（以下、表示モードともいう）として、入力部９の入力端子Ｉｎｐｕｔ１〜Ｉｎｐｕｔ４からそれぞれ入力される４つの映像信号のうちから１つの映像信号を選択し、その選択した映像信号に基づく映像を表示する「１画面表示モード」と、過去に選択された映像信号による映像を、履歴映像として表示する「履歴映像表示モード」とを有している。
【００３７】
そして、１画面表示モードと履歴映像表示モードとの間の切替えは、リモコン４または操作部から操作受付部６４を介して入力される表示モードの切替指令に基づいて、プロジェクタ１内部の制御部によって実行される。表示モードの切替指令には、上述した入力切替指令が含まれるものとする。
【００３８】
図３は、本実施の形態に係るプロジェクタ１による表示映像の一例を示す図である。図３（ａ），（ｂ）には、履歴映像表示モードの実行時における表示映像の一例が示されている。
【００３９】
図３（ａ）を参照して、履歴映像表示モードの実行時には、プロジェクタ１の表示部（液晶パネル）の表示領域は、複数のウィンドウに分割される。この複数のウィンドウは、比較的大きいサイズの画面（以下、メイン画面ともいう）である１個のメインウィンドウ１００と、メイン画面よりも小さいサイズの画面（以下、サブ画面ともいう）である３個のサブウィンドウ１０２，１０４，１０６とからなる。なお、メインウィンドウ１００およびサブウィンドウ１０２〜１０６のサイズおよび配置、サブウィンドウの個数については、図３の態様に限定されるものではない。
【００４０】
メインウィンドウ１００には、現在選択されている映像信号に基づく映像（以下、「入力映像」ともいう）が表示される。一例として、メインウィンドウ１００には、入力端子Ｉｎｐｕｔ３（ＲＧＢ端子）に対応する映像信号による映像が表示されていると想定する。
【００４１】
サブウィンドウ１０２〜１０４には、過去に選択された映像信号に基づく映像である履歴映像が表示される。履歴映像としては、映像信号が動画データであるときには、動画データから生成された静止画のみが表示される。
【００４２】
本実施の形態では、３個のサブウィンドウ１０２〜１０６は、同じサイズであって、縦に並べて配列されるものとする。そして、サブウィンドウ１０２〜１０６にそれぞれ表示される履歴映像は、時間的に古いもの（図中の履歴映像１に相当）から新しいもの（図中の履歴映像３に相当）の順番に並べて配置されるものとする。
【００４３】
具体的には、サブウィンドウ１０６には、現在の入力映像への切替え直前に選択されていた映像信号による映像（履歴映像３）が表示され、サブウィンドウ１０４には、履歴映像３への切替え直前に選択されていた映像信号による映像（履歴映像２）が表示され、サブウィンドウ１０２には、履歴映像２への切替え直前に選択されていた映像信号による映像（履歴映像１）が表示される。たとえば、サブウィンドウ１０６には、入力端子Ｉｎｐｕｔ２（ＨＤＭＩ端子）からの映像信号が表示され、サブウィンドウ１０４には、入力端子Ｉｎｐｕｔ４（Ｖｉｄｅｏ端子）からの映像信号が表示され、サブウィンドウ１０２には、入力端子Ｉｎｐｕｔ１（ＤＶＩ端子）からの映像信号が表示されていると想定する。
【００４４】
すなわち、図３（ａ）の例では、時系列順にＩｎｐｕｔ１→Ｉｎｐｕｔ４→Ｉｎｐｕｔ２→Ｉｎｐｕｔ３の順番で入力端子が選択されており、これに伴なって、ＤＶＩ信号→Ｖｉｄｅｏ信号→ＨＤＭＩ信号→ＲＧＢアナログ信号の順番で入力映像信号が切替えられている。
【００４５】
なお、メインウィンドウ１００およびサブウィンドウ１０２〜１０６には、映像信号に基づく映像とともに、後述するＯＳＤ機能によって、該映像信号に対応する「入力端子名」を重畳して表示させる。これにより、ユーザは、過去に表示していた履歴映像と入力端子との対応関係について直観的に知ることができる。
【００４６】
ここで、ユーザが入力映像を切替えたい場合には、リモコン４または操作部を用いて、図３（ａ）の画面上で、３個の履歴映像のうちから、所望の履歴映像を選択する操作を行なう。この操作は、たとえば、図３（ａ）の画面上にカーソル１１０を重畳して表示させておき、リモコン４または操作部に設けられた「選択ボタン」の操作によってカーソル１１０を上下に移動させることにより行なうことができる。
【００４７】
プロジェクタ１は、履歴映像を選択する操作がなされると、選択された履歴映像に対応する入力端子を選択する。そして、選択された入力端子からの映像信号による映像を、入力映像としてメインウィンドウ１００に表示させる。
【００４８】
たとえば、図３（ａ）の画面から履歴映像１を選択する操作がなされた場合には、プロジェクタ１は、映像の入力先として、履歴映像１に対応する入力端子Ｉｎｐｕｔ１（ＤＶＩ端子）を選択する。これにより、図３（ｂ）に示すように、入力端子Ｉｎｐｕｔ１（ＤＶＩ端子）からの映像信号による映像がメインウィンドウ１００に表示される。
【００４９】
このとき、サブウィンドウ１０２〜１０６では、上述した入力映像信号の切替えに伴なって、各ウィンドウに表示される履歴映像が更新される。履歴映像の更新は、切替え直前の入力映像を、新たに履歴映像に含めるように行なわれる。
【００５０】
具体的には、図３（ｂ）に示すように、サブウィンドウ１０６には、切替え直前に選択されていた入力端子Ｉｎｐｕｔ３（ＲＧＢ端子）に対応する映像信号による映像が、履歴映像３として表示される。さらに、切替え直前の履歴映像２，３は、それぞれ履歴映像１，２に変更される。すなわち、切替え直前の入力映像が履歴映像３として表示されることに伴なって、切替え直前に最も古い履歴映像１に該当していた映像が画面から消去されることとなる。
【００５１】
このように、本実施の形態による入力映像信号の切替方法では、過去に表示させていた映像が履歴映像として表示される。これにより、ユーザは、画面上での直観的な操作によって、表示させたい映像を選択することができる。この結果、入力切替先の選択させるためのメニューを表示させ、該メニュー上で入力端子をユーザに選択させる従来の入力映像信号の切替方法と比較して、より簡単な操作で入力映像信号の切替えを行なうことができる。
【００５２】
また、履歴映像とともに、該履歴映像に対応する映像信号の入力端子名が重畳して表示されることから、ユーザは、入力端子と映像信号との対応関係、すなわち、入力端子にどのような映像信号が入力されているかを直観的に知ることができる。したがって、メニュー上で選択した映像信号による映像が投写されたときに初めて、選択した入力端子にどのような映像信号が入力されているかを知ることができる従来の入力映像信号の切替方法に対して、快適な操作性を実現することができる。
【００５３】
次に、図４〜図６を用いて、入力映像信号の切替方法を実行するためのプロジェクタ１の構成を説明する。
【００５４】
（プロジェクタの構成）
図４は、本発明の実施の形態に係るプロジェクタ１の構成を説明する図である。
【００５５】
図４を参照して、プロジェクタ１は、入力端子１１〜１４と、ＤＶＩレシーバ２１と、ＨＤＭＩレシーバ２２と、Ａ／Ｄコンバータ２３と、Ｖｉｄｅｏデコーダ２４と、入力選択部３０と、メモリ４０と、スケーリング部４２，４４と、映像信号処理部４６と、ＯＳＤメモリ４８と、液晶表示駆動部５０と、光学系５２と、制御部６０と、保存部６２と、操作受付部６４とを備える。
【００５６】
入力端子１１〜１４は、図１に示す入力部９の入力端子Ｉｎｐｕｔ１〜Ｉｎｐｕｔ４にそれぞれ対応するものである。入力端子１１は、入力端子Ｉｎｐｕｔ１（ＤＶＩ端子）に対応し、入力端子１２は、入力端子Ｉｎｐｕｔ２（ＨＤＭＩ端子）に対応し、入力端子１３は、入力端子Ｉｎｐｕｔ３（ＲＧＢ端子）に対応し、入力端子１４は、入力端子Ｉｎｐｕｔ４（Ｖｉｄｅｏ端子）に対応する。
【００５７】
ＤＶＩレシーバ２１は、入力端子１１で受信したデジタル映像信号（ＤＶＩ信号）を受信処理し、処理後の信号を入力選択部３０に出力する。具体的には、ＤＶＩレシーバ２１は、ＨＤＣＰ（High Definition Multimedia Interface）に従う認証機能および暗号の復号機能を有している。ＨＤＣＰは、ＤＶＩに従って伝送されるデータの暗号化を実現するために用いられる。これにより、デジタル伝送路上を伝送される映像信号などのコンテンツが不正にコピーされるのを防止できる。
【００５８】
ＨＤＣＰによる伝送データ・信号の保護は、まず、送信側（ＤＶＤ再生装置）は受信側（プロジェクタ１）と双方向に通信して相互認証のための情報をやり取りする。当該情報に基づき送信側は受信側を認証する。認証結果、受信側を認証できた場合には、送信側は予め共通に有した鍵を用いてデジタル映像信号を暗号化し、デジタル伝送路を介して受信側に送信する。受信側は、予め共有している鍵を用いて暗号を復号する。送信側が、受信側を認証できない場合には、送信側は受信側へのデジタル映像信号の送信を拒否するので、受信側に対して映像信号は送信されない。
【００５９】
ＨＤＭＩレシーバ２２は、入力端子１２で受信したＨＤＭＩ信号を受信処理し、処理後の信号を入力選択部３０に出力する。ＨＤＭＩレシーバ２２は、上述したＤＶＩレシーバ２１と同様に、ＨＤＣＰに従う認証機能および暗号の復号機能を有している。
【００６０】
Ａ／Ｄコンバータ２３は、入力端子１３で受信したＲＧＢアナログ映像信号をＡ／Ｄ変換し、デジタル映像信号として入力選択部３０に出力する。これは、映像信号に各種の信号処理を施すために行なわれる。
【００６１】
Ｖｉｄｅｏデコーダ２４は、受信したＶｉｄｅｏ信号をコンポーネント信号に変換してからＡ／Ｄ変換処理を含む映像信号処理を施す。Ｖｉｄｅｏデコーダ２４は、処理後の信号を入力選択部３０に出力する。
【００６２】
入力選択部３０は、ＤＶＩレシーバ２１の出力するＤＶＩ信号を入力する第１入力部３１と、ＨＤＭＩレシーバ２２の出力するＨＤＭＩ信号を入力する第２入力部３２と、Ａ／Ｄコンバータ２３の出力するＲＧＢアナログ信号を入力する第３入力部３３と、Ｖｉｄｅｏデコーダ２４の出力するＶｉｄｅｏ信号を入力する第４入力部３４とを含む。また、入力選択部３０は、制御部６０から与えられる切替信号を入力する切替入力部３５と、第１スケーリング部４２が接続される第１出力端子３６と、第２スケーリング部４４が接続される第２出力端子３７とを含む。
【００６３】
入力選択部３０は、制御部６０からの切替信号に従い、４つの入力部３１〜３４のうちのいずれか１つを選択する。そして、入力選択部３０は、その選択した入力部と第１および第２出力端子３６，３７とを接続することにより、該入力部が入力する映像信号を、第１および第２出力端子３６，３７を介して第１および第２スケーリング部４２，４４にそれぞれ供給する。
【００６４】
第１スケーリング部４２は、１画面表示モードでの表示部（液晶パネル）の解像度を基準として、該基準以下の予め設定される所望のサイズに応じて、映像信号の表す映像の解像度の変換処理を実行する。この解像度変換処理によって、第１スケーリング部４２は、表示部の解像度以下の解像度を有する表示用の映像を表す映像データを生成する。生成された映像データは、メモリ４０に格納される。
【００６５】
第２スケーリング部４４は、履歴映像表示モードでのサブウィンドウ（図３）の表示サイズに応じて、映像信号の表す映像の解像度の変換処理を実行する。この解像度変換処理によって、第２スケーリング部４４は、サブウィンドウの表示サイズに相当する解像度を有する履歴映像を表す映像データを生成する。生成された映像データは、メモリ４０に格納される。
【００６６】
メモリ４０には、第１スケーリング部４２から出力される表示用の映像データが格納されるとともに、第２スケーリング部４４から出力される履歴映像用の映像データが格納される。図５は、メモリ４０の構成を説明する図である。
【００６７】
図５を参照して、メモリ４０は、複数のメモリ領域に分割されている。具体的には、メモリ４０は、通常表示状態（１画面表示モード）での表示用の映像を表す映像データが格納されるメモリ領域４００（以下、「通常映像表示用メモリ領域」ともいう）と、履歴映像表示モードでの表示用の履歴映像を表す映像データが格納されるメモリ領域（以下、「履歴映像用メモリ領域」ともいう）とに分割されている。そして、この履歴映像用メモリ領域は、さらに、ｎ個（ｎは２以上の自然数）のメモリ領域４０１〜４０ｎに分割されている。
【００６８】
通常映像表示用メモリ領域４００には、１フレーム毎の映像データが格納される。１画面表示モードの実行時には、映像信号処理部４６（図４）は、通常映像表示用メモリ領域４００に書込まれた１フレーム毎の映像データを、所定の条件で読出すなどの映像信号処理を行なう。映像信号処理には、１秒間における描画更新回数を示すフレームレート変換などが含まれる。入力映像信号は、このような映像信号処理が施され、投写映像用の映像信号としてして出力される。
【００６９】
一方、第１履歴映像用メモリ領域４０１〜第ｎ履歴映像用メモリ領域４０ｎの各々には、履歴映像を表す静止画の映像データが格納される。たとえば、第１履歴映像用メモリ領域４０１には、時間的に古い履歴映像を表す静止画の映像データが格納され、第ｎ履歴映像用メモリ領域４０ｎには、時間的に新しい履歴映像を表す静止画の映像データが格納されるというように、履歴映像用の映像データが時系列順に並べて格納される。
【００７０】
そして、履歴映像表示モードの実行時には、映像信号処理部４６は、通常表示用メモリ領域４００に書込まれた１フレーム毎の映像データを読出すとともに、履歴映像用メモリ領域に書込まれた履歴映像用の映像データを読出す。このとき、映像信号処理部４６は、履歴映像用メモリ領域からは、最も新しいものから順に所定数（たとえば３個とする）の履歴映像用の映像データを読出す。一例として、第１履歴映像用メモリ領域４０１〜第４履歴映像用メモリ領域４０４（図示せず）に映像データが格納されている場合には、第４履歴映像用メモリ領域４０４、第３履歴映像用メモリ領域４０３（図示せず）および第２履歴映像用メモリ領域４０２から履歴映像用の映像データが読出される。読出された履歴映像用の映像データは、１フレーム毎の映像データとともに、映像信号処理部４６に与えられる。
【００７１】
再び図４を参照して、映像信号処理部４６は、メモリ４０から読出した映像データを、後述する表示部で表示するのに適した信号とするために、該映像データに各種映像信号処理を施し、さらにＤ／Ａ変換を施したアナログ映像信号を出力する。
【００７２】
具体的には、映像信号処理部４６は、１画面表示モードの実行時には、１フレーム毎の映像データの有する階調値を表示部で表示するのに適した階調値に変換するγ補正や、表示部の液晶パネルに固有の輝度むらなどに起因する色むら補正処理を施し、さらにＤ／Ａ変換を施す。
【００７３】
また、履歴映像表示モードの実行時には、映像信号処理部４６は、１フレーム毎の映像データおよび所定数（３個）の履歴映像用の映像データに基づき、表示部で表示する１フレーム分のデジタルの映像信号を合成する。そして、映像信号処理部４６は、映像信号の有する階調値に応じたγ補正や、色むら補正処理を施し、さらにＤ／Ａ変換を施したアナログ映像信号を出力する。
【００７４】
映像信号処理部４６は、また、映像信号にて表わされる映像に、入力端子名を重畳させるというような、ＯＳＤ機能を司る。映像信号処理部４６は、制御部６０からの指示に従い、ＯＳＤメモリ４８から、たとえば、「入力端子名」を読出し、映像信号に重畳する。映像信号処理部４６は、入力端子に映像信号が入力されていない場合には、たとえば、青色ベタの画面に「入力端子名」と、「映像信号が入力されていません」という文字が表された画面（以下、「無信号画面」ともいう）をＯＳＤメモリ４８から読出し、無信号画面を示す映像信号を生成して液晶表示駆動部５０に供給する。
【００７５】
ＯＳＤメモリ４８は、不揮発性のメモリであり、「入力端子名」や「無信号画面」など、ＯＳＤに用いられるプロジェクタ１の操作状態を表す画面や各種文字パターンなどを記憶している。
【００７６】
液晶表示駆動部５０、光学系５２およびランプ（図示せず）は、映像信号処理部４６から出力される映像信号に従って、制御部６０の制御の下に、スクリーンＳＣに映像を表示するための「表示部」に相当する。
【００７７】
表示部の動作について説明する。照明装置であるランプは、たとえば超高圧水銀ランプ、メタルハライドランプ、キセノンランプなどからなる。ランプは、コネクタを介してプロジェクタ１に着脱自在に取り付けられる。ランプからは、略平行光となって光が液晶表示駆動部５０に出射される。
【００７８】
液晶表示駆動部５０は、図示しないレンズおよびプリズムを含む光学系と、Ｒ，Ｇ，Ｂの各液晶パネルとを含む。液晶表示駆動部５０では、内部の図示しないレンズ系を通過したランプからの光は、Ｒ，Ｇ，Ｂの各液晶パネルに光量分布が均一となるように入射する。レンズ系を介して入射された光のうち、青色波長帯の光（以下、「Ｂ光」という）、赤色波長帯の光（以下、「Ｒ光」という）、緑色波長帯の光（以下、「Ｇ光」という）は、略平行光でＲ，Ｇ，Ｂの各液晶パネルに入射する。各液晶パネルは、映像信号処理部４６から与えられるＲ，Ｇ，Ｂに対応した映像信号に応じて駆動され、その駆動状態に応じて光を変調する。液晶パネルによって変調されたＲ光，Ｇ光，Ｂ光は、ダイクロイックプリズムによって色合成された後に、投写レンズによって、スクリーンＳＣ上に拡大投写される。投写レンズは、投写光をスクリーンＳＣに結像させるためのレンズ群と、これらレンズ群の一部を光軸方向に変化させて投写映像のズーム状態およびフォーカス状態を調整するためのアクチュエータを備えている。
【００７９】
制御部６０は、ＣＰＵ（Central Processing Unit）であり、図示しないバスラインを介して、各部との信号のやり取りを行ない、また、操作受付部６４からの操作信号に沿って各部の動作を制御する。
【００８０】
保存部６２は、たとえば、フラッシュメモリなどのデータの書換えが可能な不揮発性メモリにより構成されている。保存部６２には、プロジェクタ１の動作を指示および制御するための様々な制御プログラムなどが記憶されている。なお、制御プログラムには、入力映像信号を切替えるためのプログラムとしての「入力切替プログラム」が含まれている。
【００８１】
操作受付部６４は、操作部あるいはリモコン４への操作がなされると、当該操作を受付け、制御部６０へ各種動作のトリガとなる操作信号を送る。
【００８２】
（プロジェクタの動作について）
図６は、１画面表示モードおよび履歴映像表示モードの各々におけるプロジェクタ１の動作を説明する図である。
【００８３】
図６を参照して、１画面表示モードの実行時において、入力選択部３０（図４）が入力端子Ｉｎｐｕｔ１（ＤＶＩ端子）を選択しているものと想定する。第１スケーリング部４２は、入力端子Ｉｎｐｕｔ１が入力する映像信号（ＤＶＩ信号）に、上述した解像度変換処理を施すことによって、表示部の解像度以下の解像度を有する表示用の映像を表す映像データを生成する。生成された映像データは、メモリ４０の通常映像表示用メモリ領域４００に書込まれる。
【００８４】
第２スケーリング部４４は、入力端子１１が入力する映像信号（ＤＶＩ信号）に、解像度変換処理を施すことによって、サブウィンドウの表示サイズに相当する解像度を有する履歴映像を表す映像データを生成する。生成された映像データは、メモリ４０の履歴映像用メモリ領域（たとえば、第４履歴映像用メモリ領域４０４とする）に書込まれる。
【００８５】
映像信号処理部４６は、通常映像表示用メモリ領域４００に書込まれた１フレーム毎の映像データを、所定の条件で読出すなどの映像信号処理を行なうことにより、投写映像用の映像信号として表示部に出力する。これにより、スクリーンＳＣには、入力端子Ｉｎｐｕｔ１（ＤＶＩ端子）からの映像信号による映像が表示される。
【００８６】
次に、リモコン４または操作部から操作受付部６４を介して入力される表示モードの切替指令に基づいて、表示モードが、１画面表示モードから履歴映像表示モードに切替わると、第１スケーリング部４２は、入力端子Ｉｎｐｕｔ１が入力する映像信号（ＤＶＩ信号）に、解像度変換処理を施すことによって、メインウィンドウの表示サイズに相当する解像度を有する表示用の映像を表す映像データを生成する。生成された映像データは、メモリ４０の通常映像表示用メモリ領域４００に書込まれる。
【００８７】
映像信号処理部４６は、通常映像表示用メモリ領域４００に書込まれた１フレーム毎の映像データを読出すとともに、履歴映像表示用メモリ領域から、最も新しいものから順に所定数（３個）の履歴映像用の映像データを読出す。図６の例では、映像信号処理部４６は、第１履歴映像用メモリ領域４０１〜第３履歴映像用メモリ領域４０３の各々から、履歴映像用の映像データを読出す。
【００８８】
そして、映像信号処理部４６は、１フレーム毎の映像データおよび所定数（３個）の履歴映像用の映像データに基づき、表示部で表示する１フレーム分のデジタルの映像信号を合成する。映像信号処理部４６はさらに、合成した映像信号に、ＯＳＤメモリ４８から読出した入力端子名を重畳させる。これにより、スクリーンＳＣでは、メインウィンドウに入力端子Ｉｎｐｕｔ１からの映像信号による映像が表示されるとともに、３個のサブウィンドウの各々には履歴映像が表示される。
【００８９】
ここで、ユーザがリモコン４または操作部を用いて、入力映像の切替先として、３個の履歴映像のうちから、１個の履歴映像を選択する操作を行なったものと想定する。たとえば、画面から入力端子Ｉｎｐｕｔ２（ＨＤＭＩ端子）からの映像信号による履歴映像が選択された場合には、入力選択部３０は、選択された履歴映像に対応する入力端子Ｉｎｐｕｔ２を選択する。これにより、図３で説明したように、入力端子Ｉｎｐｕｔ２からの映像信号による映像がメインウィンドウに表示される。また、サブウィンドウでは、切替え直前の入力映像、すなわち、入力端子Ｉｎｐｕｔ１に対応する映像信号による映像が、新たに履歴映像として表示される。
【００９０】
そして、リモコン４または操作部から操作受付部６４を介して入力される表示モードの切替指令に基づいて、表示モードが、履歴映像表示モードから１画面表示モードに切替えられると、第１スケーリング部４２は、入力端子Ｉｎｐｕｔ２（ＨＤＭＩ端子）が入力する映像信号（ＨＤＭＩ信号）に、上述した解像度変換処理を施すことによって、表示部の解像度以下の解像度を有する表示用の映像を表す映像データを生成する。生成された映像データは、メモリ４０の通常映像表示用メモリ領域４００に書込まれる。
【００９１】
第２スケーリング部４４は、入力端子１２が入力する映像信号（ＨＤＭＩ信号）に、解像度変換処理を施すことによって、サブウィンドウの表示サイズに相当する解像度を有する履歴映像を表す映像データを生成する。生成された映像データは、メモリ４０の履歴映像用メモリ領域（第５履歴映像用メモリ領域４０５）に書込まれる。
【００９２】
映像信号処理部４６は、通常映像表示用メモリ領域４００に書込まれた１フレーム毎の映像データを、所定の条件で読出すなどの映像信号処理を行なうことにより、投写映像用の映像信号として表示部に出力する。これにより、スクリーンＳＣには、入力端子Ｉｎｐｕｔ１（ＨＤＭＩ端子）に対応する映像信号による映像が表示される。
【００９３】
［変更例］
図７は、本実施の形態に係るプロジェクタ１による表示映像の他の例を示す図である。図７（ａ）には、履歴映像表示モードの実行時における表示映像の一例が示されている。図７（ｂ）には、１画面表示モードの実行時における表示映像の一例が示されている。
【００９４】
図７（ａ）を参照して、履歴映像表示モードの実行時には、プロジェクタ１の表示部の表示領域は、複数のウィンドウに分割される。本変更例では、複数のウィンドウは、６個のウィンドウ２０１〜２０６からなる。なお、ウィンドウ２０１〜２０６のサイズおよび配置、ウィンドウの個数については、図７の態様に限定されるものではない。
【００９５】
ウィンドウ２０１〜２０６の各々には、履歴映像が表示される。本変更例では、６個のウィンドウ２０１〜２０６は、同じサイズであって、それぞれに表示される履歴映像は、時間的に古いもの（図中の履歴映像１に相当）から新しいもの（図中の履歴映像６に相当）の順番に並べて配置されるものとする。履歴映像としては、映像信号が動画データのときには、動画データから生成された静止画のみが表示される。
【００９６】
具体的には、ウィンドウ２０６には、現在の入力映像への切替え直前に選択されていた映像信号による映像（履歴映像６）が表示され、ウィンドウ２０５には、履歴映像６への切替え直前に選択されていた映像信号による映像（履歴映像５）が表示され、ウィンドウ２０４には、履歴映像５への切替え直前に選択されていた映像信号による映像（履歴映像４）が表示される。また、ウィンドウ２０３には、履歴映像４への切替え直前に選択されていた映像信号による映像（履歴映像３）が表示され、ウィンドウ２０２には、履歴映像３への切替え直前に選択されていた映像信号による映像（履歴映像２）が表示され、ウィンドウ２０１には、履歴映像２への切替え直前に選択されていた映像信号による映像（履歴映像１）が表示される。
【００９７】
たとえば、ウィンドウ２０６には、入力端子に映像信号が入力されていないことを示す「無信号画面」が表示され、ウィンドウ２０５には、入力端子Ｉｎｐｕｔ１（ＤＶＩ端子）の入力映像信号が表示され、ウィンドウ２０４には、入力端子Ｉｎｐｕｔ３（ＲＧＢ端子）の入力映像信号が表示されていると想定する。また、ウィンドウ２０３には、入力端子Ｉｎｐｕｔ２（ＨＤＭＩ端子）の入力映像信号による映像が表示され、ウィンドウ２０２には、入力端子Ｉｎｐｕｔ４（Ｖｉｄｅｏ端子）の入力映像信号による映像が表示され、ウィンドウ２０１には、入力端子Ｉｎｐｕ１（ＤＶＩ端子）の入力映像信号による映像が表示されていると想定する。
【００９８】
また、ウィンドウ２０１〜２０６には、上述したＯＳＤ機能によって、映像信号に基づく映像とともに、該映像信号に対応する「入力端子名」が重畳して表示されている。また、過去に選択された入力端子が無信号の場合には、履歴映像として「無信号画面」が表示される。これにより、ユーザは、過去に表示していた履歴映像と入力端子との対応関係について直観的に知ることができる。したがって、メニュー上で選択した映像信号による映像が投写されたときに初めて、選択した入力端子にどのような映像信号が入力されているかを知ることができる従来の入力映像信号の切替方法に対して、快適な操作性を実現することができる。
【００９９】
ここで、ユーザが入力映像を切替えたい場合には、リモコン４または操作部を用いて、図７（ａ）の画面上で、６個の履歴映像のうちから、所望の履歴映像を選択する操作を行なう。この操作は、たとえば、図７（ａ）の画面上にカーソル２１０を重畳して表示させておき、リモコン４または操作部に設けられた「選択ボタン」の操作によってカーソル２１０を上下左右に移動させることにより行なうことができる。プロジェクタ１は、履歴映像を選択する操作がなされると、選択された履歴映像に対応する入力端子を選択する。入力端子が選択されると、プロジェクタ１の表示モードは、履歴映像表示モードから１画面表示モードへ切替えられる。
【０１００】
たとえば、図７（ａ）の画面から履歴映像５を選択する操作がなされた場合には、プロジェクタ１は、映像の入力先として、履歴映像５に対応する入力端子Ｉｎｐｕｔ１（ＤＶＩ端子）を選択する。これにより、図７（ｂ）に示すように、１画面表示モードに切替わると、画面全体に、入力端子Ｉｎｐｕｔ１（ＤＶＩ端子）からの映像信号による映像が表示される。
【０１０１】
次に、図８を用いて、本変更例に従う入力映像信号の切替方法を実行するためのプロジェクタ１の動作について説明する。なお、本変更例に係るプロジェクタの構成は、図４で説明したプロジェクタ１の構成と同様であるため、詳細な説明は省略する。
【０１０２】
（プロジェクタの動作について）
図８は、１画面表示モードおよび履歴映像表示モードの各々におけるプロジェクタ１の動作を説明する図である。
【０１０３】
図８を参照して、履歴映像表示モードの実行時において、映像信号処理部４６（図４）は、最も新しいものから順に複数個（最大６個）の履歴映像用の映像データを読出す。図８の例では、映像信号処理部４６は、第１履歴映像用メモリ領域４０１〜第５履歴映像用メモリ領域４０５の各々から、履歴映像用の映像データを読出す。
【０１０４】
そして、映像信号処理部４６は、５個の履歴映像用の映像データに基づき、表示部で表示する１フレーム分のデジタルの映像信号を合成する。映像信号処理部４６はさらに、合成した映像信号に、ＯＳＤメモリ４８から読出した入力端子名を重畳させる。これにより、スクリーンＳＣでは、５個のサブウィンドウの各々には履歴映像が表示される。
【０１０５】
ここで、ユーザがリモコン４または操作部を用いて、入力映像の切替先として、５個の履歴映像のうちから、１個の履歴映像を選択する操作を行なったものと想定する。たとえば、画面から入力端子Ｉｎｐｕｔ１（ＤＶＩ端子）に対応する映像信号による履歴映像が選択された場合には、入力選択部３０は、選択された履歴映像に対応する入力端子Ｉｎｐｕｔ１（ＤＶＩ端子）を選択する。これにより、図７で説明したように、プロジェクタ１の表示モードは、履歴映像表示モードから１画面表示モードに切替わる。
【０１０６】
表示モードが１画面表示モードに切替えられると、第１スケーリング部４２は、入力端子Ｉｎｐｕｔ１（ＤＶＩ端子）が入力する映像信号（ＤＶＩ信号）に、上述した解像度変換処理を施すことによって、表示部の解像度以下の解像度を有する表示用の映像を表す映像データを生成する。生成された映像データは、メモリ４０の通常映像表示用メモリ領域４００に書込まれる。
【０１０７】
第２スケーリング部４４は、入力端子Ｉｎｐｕｔ１（ＤＶＩ端子）が入力する映像信号（ＤＶＩ信号）に、解像度変換処理を施すことによって、ウィンドウ（図７）の表示サイズに相当する解像度を有する履歴映像を表す映像データを生成する。生成された映像データは、メモリ４０の履歴映像用メモリ領域（第６履歴映像用メモリ領域４０６）に書込まれる。
【０１０８】
映像信号処理部４６は、通常映像表示用メモリ領域４００に書込まれた１フレーム毎の映像データを、所定の条件で読出すなどの映像信号処理を行なうことにより、投写映像用の映像信号として表示部に出力する。これにより、スクリーンＳＣには、入力端子Ｉｎｐｕｔ１（ＤＶＩ端子）に対応する映像信号による映像が表示される。
【０１０９】
その後、リモコン４または操作部から操作受付部６４を介して入力される表示モードの切替指令に基づいて、表示モードが、１画面表示モードから履歴映像表示モードに切替えられると、映像信号処理部４６は、履歴映像表示用メモリ領域から、最も新しいものから順に６個の履歴映像用の映像データを読出す。図８の例では、映像信号処理部４６は、第１履歴映像用メモリ領域４０１〜第６履歴映像用メモリ領域４０６の各々から、履歴映像用の映像データを読出す。そして、映像信号処理部４６は、６個の履歴映像用の映像データに基づき、表示部で表示する１フレーム分のデジタルの映像信号を合成する。映像信号処理部４６はさらに、合成した映像信号に、ＯＳＤメモリ４８から読出した入力端子名を重畳させる。これにより、スクリーンＳＣでは、６個のサブウィンドウの各々には履歴映像が表示される。
【０１１０】
このように本発明の実施の形態に従う映像表示装置による入力映像信号の切替方法では、過去に表示させていた映像が履歴映像として表示されることから、ユーザは、画面上での直観的な操作によって、表示させたい映像を選択することができる。この結果、入力切替先の選択させるためのメニューを表示させ、該メニュー上で入力端子をユーザに選択させる従来の入力映像信号の切替方法と比較して、より簡単な操作で入力映像信号の切替えを行なうことができる。
【０１１１】
また、履歴映像とともに、該履歴映像に対応する映像信号の入力端子名を重畳して表示させることから、ユーザは、入力端子と映像信号との対応関係、すなわち、入力端子にどのような映像信号が入力されているかを直観的に知ることができる。したがって、メニュー上で選択した映像信号による映像が投写されたときに初めて、選択した入力端子にどのような映像信号が入力されているかを知ることができる従来の入力映像信号の切替方法に対して、快適な操作性を実現することができる。
【０１１２】
なお、本実施の形態では、プロジェクタとして液晶プロジェクタを採用したが、これに限定されるものではない。たとえば、ＤＬＰ（Digital Light Processing）（登録商標）方式のプロジェクタ等の他の方式のプロジェクタに本発明の技術を採用してもよい。
【０１１３】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【０１１４】
１  プロジェクタ、３Ａ，３Ｂ  通信ケーブル、４  リモコン、７Ａ，７Ｂ  伝送路、９  入力部、１１〜１４  入力端子、２１  ＤＶＩレシーバ、２２  ＨＤＭＩレシーバ、２３  Ａ／Ｄコンバータ、２４  Ｖｉｄｅｏデコーダ、３０  入力選択部、３１〜３４  入力部、３５  切替入力部、３６，３７  出力端子、４０  メモリ、４２，４４  スケーリング部、４６  映像信号処理部、４８  ＯＳＤメモリ、５０  液晶表示駆動部、５２  光学系、６０  制御部、６２  保存部、６４  操作受付部、１００  メインウィンドウ、１０２，１０４，１０６  サブウィンドウ、２０１〜２０６  ウィンドウ、４００  通常映像表示用メモリ領域、４０１〜４０ｎ  履歴映像用メモリ領域、ＳＣ  スクリーン。
【図１】
2011102842.tif 000003
【図２】
2011102842.tif 000004
【図３】
2011102842.tif 000005
【図４】
2011102842.tif 000006
【図５】
2011102842.tif 000007
【図６】
2011102842.tif 000008
【図７】
2011102842.tif 000009
【図８】
2011102842.tif 000010